(57)【要約】      （修正有）【課題】簡単な構成で確実に厨芥スラリーを移送して、厨芥の沈澱を防ぎ、動作の確実性、厨芥スラリーの移送の効率性、信頼性に優れ、長期間にわたって安定的に動作し、耐久性、長寿命性、メンテナンス性に優れ、振動や騒音が小さく、静音性にも優れ、移送距離に応じて流量を調整して適正量の厨芥スラリーを効率的に移送することができ、汎用性、省エネルギー性に優れる厨芥スラリー移送装置を提供する。【解決手段】ディスポーザ３０から排出される厨芥スラリーを貯留するタンク２と、タンク２に沈設された水中ポンプ３と、タンク２内の厨芥スラリーの水位が予め設定した範囲内にある時に水中ポンプを駆動させる水位連動スイッチ４と、水中ポンプ３の吐出口と排水処理装置との間を接続する移送管５と、移送管５から分岐して厨芥スラリーの一部をタンク２内に吐出させる分岐管６と、移送管５又は分岐管６に配設され移送管５及び分岐管６を流れる厨芥スラリーの流量を調整する流量調整部と、を備える。【選択図】図１
0003209903.tif 000002
【実用新案登録請求の範囲】
【請求項１】
ディスポーザから排出される厨芥スラリーを下流側の排水処理装置に移送するための厨芥スラリー移送装置であって、
前記ディスポーザから排出される厨芥スラリーを貯留するタンクと、前記タンクに沈設された水中ポンプと、前記タンク内に貯留される前記厨芥スラリーの水位が予め設定した範囲内にある時に前記水中ポンプを駆動させる水位連動スイッチと、前記水中ポンプの吐出口と前記排水処理装置との間を接続する移送管と、前記移送管から分岐して前記移送管を流れる厨芥スラリーの一部を前記タンク内に吐出させる分岐管と、前記移送管又は前記分岐管に配設され前記移送管及び前記分岐管を流れる厨芥スラリーの流量を調整する流量調整部と、を備えたことを特徴とする厨芥スラリー移送装置。
【請求項２】
前記分岐管の出口が前記タンクの底面に対向して配置されたことを特徴とする請求項１に記載の厨芥スラリー移送装置。
【請求項３】
前記水位連動スイッチがフロートスイッチであることを特徴とする請求項１又は２に記載の厨芥スラリー移送装置。
【考案の詳細な説明】
【技術分野】
【０００１】
本考案は、給食センターや病院、各種施設の食堂などで使用されるディスポーザから排出される厨芥スラリーを移送するための厨芥スラリー移送装置に関する。
【背景技術】
【０００２】
従来、給食センターや病院等では、厨芥に水を加えて粉砕し、厨芥を含有するスラリー（以下、厨芥スラリーという）を生成するディスポーザが使用されている。
一般家庭用のディスポーザから排出された厨芥スラリーは、そのまま公共下水道等に排出されるが、大量の厨芥スラリーが発生する給食センター等の施設においては、ディスポーザから排出される厨芥スラリーは、（特許文献１）に開示されているように、ディスポーザの下流側に設置されたポンプにより移送され、排水管を通して固液分離装置（脱水機）や浄化槽等の排水処理装置に送られて処理されている。
この厨芥スラリーの移送には、一般的にルーツポンプと呼ばれ、ケーシングの中で２個の繭型ロータを逆方向に回転させて一定容積の厨芥スラリーを送り出す容積式のポンプが好適に用いられている。
【先行技術文献】
【特許文献】
【０００３】
【特許文献１】特開２００７−１３２０７８号公報
【考案の開示】
【考案が解決しようとする課題】
【０００４】
（１）従来の容積式のポンプはディスポーザと直結することができ、空気を吸入しても厨芥スラリーを移送することが可能であるため、ディスポーザと同時に連続運転され、複雑な制御を行う必要がなく、取扱い性、操作性に優れるものであった。
（２）しかし、ロータの接触による振動や騒音が大きく、静音性に欠けると共に、ロータが接触により摩耗するため、寿命が短く、耐久性、メンテナンス性に欠けるという課題を有していた。
（３）そこで、ルーツポンプの代わりに、水中ポンプを使用することが考えられるが、遠心式の水中ポンプは空気を吸入すると、エアーロックが発生し、厨芥スラリーを移送できなくなるおそれがある。
（４）また、水中ポンプは厨芥スラリーが貯留されたタンクの中に設置されるが、厨芥スラリーに含まれる厨芥がタンク内に沈澱すると、水だけが移送されて厨芥がタンク内に取り残されてしまうおそれがある。
（５）さらに、水中ポンプは流量調整ができないため、下流側の脱水機等の排水処理装置までの移送距離が短いと、多量の厨芥スラリーが移送され、排水処理装置の受入量をオーバーするおそれもある。
（６）以上のことから、水中ポンプが設置されるタンク内の厨芥スラリーの水位を一定の範囲内に維持した状態で水中ポンプを安定的に運転することができ、タンク内を確実に撹拌して厨芥の沈澱を防ぎ、効率的に厨芥スラリーを移送することが可能で、排水処理装置までの移送距離に応じて流量を調整して、適正量の厨芥スラリーを移送することができる厨芥スラリー移送装置の実現が強く望まれていた。
【０００５】
本考案は上記従来の要望に応えるもので、簡単な構成で動作不良を発生させることなく確実に厨芥スラリーを移送して、厨芥の沈澱を防ぐことができ、動作の確実性、厨芥スラリーの移送の効率性、信頼性に優れると共に、長期間にわたって安定的に動作し、耐久性、長寿命性、メンテナンス性に優れ、振動や騒音が小さく、静音性にも優れるだけでなく、移送距離に応じて流量を調整することにより、適正量の厨芥スラリーを効率的に移送することができ、汎用性、省エネルギー性に優れる厨芥スラリー移送装置の提供を目的とする。
【課題を解決するための手段及びそれによって得られる作用、効果】
【０００６】
上記従来の課題を解決するために本考案の厨芥スラリー移送装置は、以下の構成を有している。
本考案の請求項１に記載の厨芥スラリー移送装置は、ディスポーザから排出される厨芥スラリーを下流側の排水処理装置に移送するための厨芥スラリー移送装置であって、前記ディスポーザから排出される厨芥スラリーを貯留するタンクと、前記タンクに沈設された水中ポンプと、前記タンク内に貯留される前記厨芥スラリーの水位が予め設定した範囲内にある時に前記水中ポンプを駆動させる水位連動スイッチと、前記水中ポンプの吐出口と前記排水処理装置との間を接続する移送管と、前記移送管から分岐して前記移送管を流れる厨芥スラリーの一部を前記タンク内に吐出させる分岐管と、前記移送管又は前記分岐管に配設され前記移送管及び前記分岐管を流れる厨芥スラリーの流量を調整する流量調整部と、を備えた構成を有している。
この構成により、以下のような作用、効果が得られる。
（１）ディスポーザから排出される厨芥スラリーを貯留するタンクと、タンクに沈設された水中ポンプと、タンク内に貯留される厨芥スラリーの水位が予め設定した範囲内にある時に水中ポンプを駆動させる水位連動スイッチを有することにより、水中ポンプに空気を吸入されてエアーロックが発生することがなく、確実に厨芥スラリーを移送することができ、厨芥スラリーの移送の確実性、動作の安定性に優れる。
（２）タンク内に貯留される厨芥スラリーの水位が予め設定した範囲内にある時に水中ポンプを駆動させる水位連動スイッチを有することにより、ディスポーザの駆動中に水中ポンプを間欠運転して確実かつ効率的に厨芥スラリーを移送することができるので、水中ポンプを無駄に駆動することがなく、省エネルギー性に優れる。
（３）厨芥スラリーの移送に水中ポンプを用いることにより、従来のルーツポンプに比べて振動や騒音が小さく、静音性に優れると共に、寿命が長く、耐久性、メンテナンス性に優れる。
（４）水中ポンプの吐出口と排水処理装置との間を接続する移送管と、移送管から分岐して移送管を流れる厨芥スラリーの一部をタンク内に吐出させる分岐管を有するので、移送管で厨芥スラリーの移送を行いながら、分岐管からタンク内に吐出される一部の厨芥スラリーによってタンク内の厨芥スラリーを撹拌して強制対流を発生させることができ、タンク内に厨芥が沈澱することを防止して、確実かつ効率的に厨芥スラリーを排水処理装置まで移送することができる。
（５）水中ポンプで移送される厨芥スラリーの一部を分岐管から吐出させてタンク内の厨芥スラリーを撹拌することができるので、別途、ミキサー等の撹拌手段を必要とせず、省エネルギー性に優れる。
（６）移送管又は分岐管に配設され移送管及び分岐管を流れる厨芥スラリーの流量を調整する流量調整部を有するので、移送先である排水処理装置の厨芥スラリーの受入量及び排水処理装置までの移送距離に応じて、移送管を流れる厨芥スラリーの流量を調整して確実かつ効率的に厨芥スラリーの移送を行うことができると共に、タンクの容量等に応じて分岐管を流れる厨芥スラリーの流量を調整することにより、分岐管から吐出される厨芥スラリーの量を調整してタンク内の厨芥スラリーを確実かつ効率的に撹拌することができ、厨芥スラリーの移送の効率性、安定性に優れる。
（７）流量調整部で厨芥スラリーの移送量を簡単に調整することができるので、インバーターで回転数を調整する等して水中ポンプの能力を落として使用する必要がなく、故障が発生し難く、制御も容易で取扱い性、操作性に優れる。
【０００７】
ここで、厨芥スラリー移送装置のタンクや水中ポンプは下膳シンクの下部等に内蔵される。厨芥スラリー移送装置の下流側に設置される排水処理装置は、固液分離装置（脱水機）で厨芥スラリーを固形分と液体分に分離した後、浄化槽等で液体分を浄化処理するものでもよいし、固液分離装置（脱水機）を使用せず、厨芥スラリーを直接、浄化槽等で浄化処理するものでもよい。
水位連動スイッチはタンク内の厨芥スラリーの水位を検出し、検出した水位に応じて、水中ポンプの駆動と停止を切替えることができればよい。厨芥スラリーの水位が予め設定した下限水位より低くなった時に水中ポンプが停止するようにすれば、水中ポンプに空気が吸入されることがなく、エアーロックの発生を防止して、水中ポンプを安定的に動作させることができる。特に、厨芥スラリーの水位が予め設定した上限水位に達した時に水中ポンプの駆動を開始し、下限水位に達した時にポンプの駆動を停止するようにすれば、厨芥スラリーを効率的に移送することができ、水中ポンプの駆動の効率性に優れる。
水位連動スイッチとしては、フロートが水位に応じて上下動することによりＯＮ／ＯＦＦを切替えるフロートスイッチや圧力スイッチ、電極式スイッチ等が好適に用いられる。
分岐管の数や配置は適宜、選択することができるが、複数の分岐管を水中ポンプの周囲に均等に配置することにより、タンク内の厨芥スラリーを満遍なく効率的に撹拌することができ、厨芥の沈澱を防止できる。また、分岐管から吐出される厨芥スラリーの吐出方向は適宜、選択することができるが、タンクの底面に向かって吐出させたり、タンクの中心部から周壁に向かって放射状に吐出させたりすることにより、撹拌効果を高めることができる。
流量調整部は移送管及び分岐管を流れる厨芥スラリーの流量を調整できるものであればよいが、ボールバルブやゲートバルブ等の流量調整バルブが好適に用いられる。尚、電磁バルブを用いた場合、バルブの開閉や流量調整の制御が容易で操作性に優れる。
【０００８】
請求項２に記載の考案は、請求項１に記載の厨芥スラリー移送装置であって、前記分岐管の出口が前記タンクの底面に対向して配置された構成を有している。
この構成により、請求項１で得られる作用、効果に加え、以下のような作用が得られる。
（１）分岐管の出口がタンクの底面に対向して配置されることにより、分岐管から吐出される厨芥スラリーによってタンクの底部に沈澱した厨芥を巻き上げるようにして強制的に対流させることができ、厨芥スラリーの撹拌の効率性、均一性に優れる。
ここで、分岐管の数や配置は、適宜、選択することができるが、同一円周上に等角度間隔に配置した場合、タンク内の厨芥スラリーを満遍なく撹拌することができ、厨芥の沈澱を効果的に防止できる。
【０００９】
請求項３に記載の考案は、請求項１又は２に記載の厨芥スラリー移送装置であって、前記水位連動スイッチがフロートスイッチである構成を有している。
この構成により、請求項１又は２で得られる作用、効果に加え、以下のような作用が得られる。
（１）水位連動スイッチがフロートスイッチであることにより、タンク内の厨芥スラリーの水位の変動に直ちに連動して確実に水中ポンプの駆動と停止を切替えることができ、故障や動作不良が発生し難く、動作の確実性、安定性に優れる。
ここで、フロートスイッチは従来公知のものを適宜、選択して使用することができ、低原価で構造を簡素化することができ、量産性に優れる。
【図面の簡単な説明】
【００１０】
【図１】実施の形態１の厨芥スラリー移送装置を備えた厨芥処理システムの構成を示す要部断面模式正面図
【図２】（ａ）実施の形態１の厨芥スラリー移送装置を示す要部断面模式正面図  （ｂ）実施の形態１の厨芥スラリー移送装置を示す要部断面模式平面図
【考案を実施するための最良の形態】
【００１１】
以下、本考案を実施するための最良の形態を、図面を参照しながら説明する。尚、本考案の技術的範囲はこれらの実施の形態に限定されるものではない。
（実施の形態１）
図１は実施の形態１の厨芥スラリー移送装置を備えた厨芥処理システムの構成を示す要部断面模式正面図である。
図１中、１０は後述するディスポーザ３０から排出される厨芥スラリーを下膳シンク２０の下部に内蔵された実施の形態１の厨芥スラリー移送装置１により下流側に設置された固液分離装置（脱水機）４０に移送して処理する厨芥処理システム、１１は厨芥処理システム１０のディスポーザ３０や固液分離装置（脱水機）４０を制御する制御部、２１は下膳シンク２０のシンク部、２１ａはシンク部２１に配設された給水部、２１ｂはシンク部２１に形成された厨芥投入口、３０はシンク部２１の下部に配設され厨芥投入口２１ｂに連結されて厨芥投入口２１ｂから投入される厨芥に給水部２１ａから供給される水を加えて粉砕し厨芥スラリーを生成するディスポーザ、３１はディスポーザ３０で生成された厨芥スラリーを厨芥スラリー移送装置１に送る厨芥スラリー排出管である。
【００１２】
次に、厨芥スラリー移送装置の詳細について説明する。
図２（ａ）は実施の形態１の厨芥スラリー移送装置を示す要部断面模式正面図であり、図２（ｂ）は実施の形態１の厨芥スラリー移送装置を示す要部断面模式平面図である。
図２中、２はディスポーザ３０から排出される厨芥スラリーを貯留するタンク、２ａはタンク２の底面、３はタンク２に沈設された水中ポンプ、４はフロート４ａがタンク２内に貯留される厨芥スラリーの水位に応じて上下動することにより水中ポンプ３の駆動と停止を切替えるフロートスイッチを用いた水位連動スイッチ、５は水中ポンプ３の吐出口３ａと固液分離装置（脱水機）４０（図１参照）との間を接続する移送管、６は移送管５から分岐して移送管５を流れる厨芥スラリーの一部を吐出口６ａからタンク２の底面２ａに向かって吐出させる２本の分岐管、７は各々の分岐管６に配設され移送管５及び分岐管６を流れる厨芥スラリーの流量を調整するボールバルブやゲートバルブ等の流量調整バルブを用いた流量調整部である。
尚、図２（ａ）中、Ｈ１は水中ポンプ３の駆動を開始する厨芥スラリーの上限水位であり、Ｈ２は水中ポンプ３の駆動を停止する厨芥スラリーの下限水位である。
【００１３】
以上のように構成された実施の形態１の厨芥スラリー移送装置の動作について説明する。
図１において、シンク部２１の厨芥投入口２１ｂからディスポーザ３０へ投入された厨芥は、給水部２１ａから供給される水が加えられ、粉砕処理されて厨芥スラリーとして排出される。ディスポーザ３０から排出された厨芥スラリーは厨芥スラリー排出管３１を通って厨芥スラリー移送装置１のタンク２に送られる。このとき、厨芥スラリー排出管３１の接続位置は、適宜、選択することができるが、厨芥スラリー排出管３１がタンク２の下方に接続されている場合、タンク２の上方に溜まった水がトラップとなって、臭いの発生を効果的に防止できる。また、厨芥スラリー排出管３１から排出される厨芥スラリーの流速により、タンク２内に厨芥スラリーの旋回流を発生させ、水中ポンプ３の近くに厨芥を集めることができる。
【００１４】
図２（ａ）において、タンク２内の厨芥スラリーの水位が上昇すると、それに伴って水位連動スイッチ４のフロート４ａが上昇し、水位が予め設定した上限水位Ｈ１に達した時に水中ポンプ３が駆動される。水中ポンプ３が駆動されると、水中ポンプ３の吐出口３ａから吐出された厨芥スラリーは移送管５を通り、別室等に設置された固液分離装置（脱水機）４０に移送され、固液分離（脱水）処理が行われる。固液分離装置（脱水機）４０で分離された固形分は回収され、焼却、埋め立て等の方法で処分され、或いは堆肥の原料等としてリサイクルされる。また、固液分離装置（脱水機）４０で分離された液体分（排水）は屋外等に設置された浄水槽等の排水処理装置（図示せず）で浄化処理される。
水中ポンプ３が駆動されることによりタンク２内の厨芥スラリーの水位が低下し、水位が予め設定した下限水位Ｈ２に達した時に水中ポンプ３の駆動が停止する。このように、厨芥スラリーの水位が予め設定した上限水位Ｈ１に達した時に水中ポンプ３の駆動を開始し、下限水位Ｈ２に達した時にポンプ３０の駆動を停止することにより、厨芥スラリーを効率的に移送することができ、水中ポンプ３の駆動の効率性に優れる。
【００１５】
水中ポンプ３が駆動されている間、水中ポンプ３の吐出口３ａから吐出された厨芥スラリーの一部は分岐管６を通り、吐出口６ａからタンク２の底面２ａに向かって吐出される。これにより、排水処理装置４０の処理量を超える厨芥スラリーが固液分離装置（脱水機）４０に送られることを防止して、厨芥スラリーの処理を確実に行うことができると共に、吐出口６ａから吐出される厨芥スラリーでタンク２の底面２ａに沈澱した厨芥を巻き上げるようにして撹拌して強制的に対流させ、タンク２内に厨芥を残すことなく厨芥スラリーを確実に固液分離装置（脱水機）４０に移送することができる。このとき、固液分離装置（脱水機）４０における厨芥スラリーの受入量やタンク２から固液分離装置（脱水機）４０までの移送距離等に応じて、移送管５及び分岐管６を流れる厨芥スラリーの流量のバランスを流量調整部７で調整することができる。尚、固液分離装置（脱水機）４０を使用せずに、厨芥スラリーを直接、浄水槽等の排水処理装置で浄化処理することもでき、その場合は浄水槽等の排水処理装置の容量やタンク２から浄水槽等の排水処理装置までの移送距離等に応じて、流量調整部７で流量調整を行えばよい。
【００１６】
本実施の形態では、２本の分岐管６を水中ポンプ３の両側部に配置したが、分岐管６の数や配置は適宜、選択することができる。例えば、複数の分岐管６を水中ポンプ３の周囲に均等に配置すれば、タンク２内の厨芥スラリーを満遍なく効率的に撹拌して厨芥の沈澱を防止できる。また、本実施の形態では、分岐管６から吐出される厨芥スラリーをタンク２の底面２ａに向かって吐出させたが、タンク２の中心部から周壁に向かって放射状に吐出させて、隅部での厨芥の滞留を防止できると共に、撹拌効果を高めることもできる。
尚、本実施の形態では、各々の分岐管６に流量調整部７を設けたが、流量調整部７は移送管５だけに設けてもよいし、移送管５と分岐管６の分岐部に設けてもよい。また、流量調整部７に電磁バルブを用いた場合、バルブの開閉や流量調整の制御が容易で操作性に優れる。
【００１７】
本考案の実施の形態１における厨芥スラリー移送装置によれば、以下のような作用が得られる。
（１）ディスポーザから排出される厨芥スラリーを貯留するタンクと、タンクに沈設された水中ポンプと、タンク内に貯留される厨芥スラリーの水位が予め設定した範囲内にある時に水中ポンプを駆動させる水位連動スイッチを有することにより、水中ポンプに空気を吸入されてエアーロックが発生することがなく、確実に厨芥スラリーを移送することができ、厨芥スラリーの移送の確実性、動作の安定性に優れる。
（２）タンク内に貯留される厨芥スラリーの水位が予め設定した範囲内にある時に水中ポンプを駆動させる水位連動スイッチを有することにより、ディスポーザの駆動中に水中ポンプを間欠運転して確実かつ効率的に厨芥スラリーを移送することができるので、水中ポンプを無駄に駆動することがなく、省エネルギー性に優れる。
（３）厨芥スラリーの移送に水中ポンプを用いることにより、従来のルーツポンプに比べて振動や騒音が小さく、静音性に優れると共に、寿命が長く、耐久性、メンテナンス性に優れる。
（４）水中ポンプの吐出口と排水処理装置との間を接続する移送管と、移送管から分岐して移送管を流れる厨芥スラリーの一部をタンク内に吐出させる分岐管を有するので、移送管で厨芥スラリーの移送を行いながら、分岐管からタンク内に吐出される一部の厨芥スラリーによってタンク内の厨芥スラリーを撹拌して強制対流を発生させることができ、タンク内に厨芥が沈澱することを防止して、確実かつ効率的に厨芥スラリーを排水処理装置まで移送することができる。
（５）水中ポンプで移送される厨芥スラリーの一部を分岐管から吐出させてタンク内の厨芥スラリーを撹拌することができるので、別途、ミキサー等の撹拌手段を必要とせず、省エネルギー性に優れる。
（６）移送管又は分岐管に配設され移送管及び分岐管を流れる厨芥スラリーの流量を調整する流量調整部を有するので、移送先である排水処理装置の厨芥スラリーの受入量及び排水処理装置までの移送距離に応じて、移送管を流れる厨芥スラリーの流量を調整して確実かつ効率的に厨芥スラリーの移送を行うことができると共に、タンクの容量等に応じて分岐管を流れる厨芥スラリーの流量を調整することにより、分岐管から吐出される厨芥スラリーの量を調整してタンク内の厨芥スラリーを確実かつ効率的に撹拌することができ、厨芥スラリーの移送の効率性、安定性に優れる。
（７）流量調整部で厨芥スラリーの移送量を簡単に調整することができるので、インバーターで回転数を調整する等して水中ポンプの能力を落として使用する必要がなく、故障が発生し難く、制御も容易で取扱い性、操作性に優れる。
（８）分岐管の出口がタンクの底面に対向して配置されることにより、分岐管から吐出される厨芥スラリーによってタンクの底部に沈澱した厨芥を巻き上げるようにして強制的に対流させることができ、厨芥スラリーの撹拌の効率性、均一性に優れる。
（９）水位連動スイッチがフロートスイッチであることにより、タンク内の厨芥スラリーの水位の変動に直ちに連動して確実に水中ポンプの駆動と停止を切替えることができ、故障や動作不良が発生し難く、動作の確実性、安定性に優れる。
【産業上の利用可能性】
【００１８】
本考案は、簡単な構成で動作不良を発生させることなく確実に厨芥スラリーを移送して、厨芥の沈澱を防ぐことができ、動作の確実性、厨芥スラリーの移送の効率性、信頼性に優れると共に、長期間にわたって安定的に動作し、耐久性、長寿命性、メンテナンス性に優れ、振動や騒音が小さく、静音性にも優れるだけでなく、移送距離に応じて流量を調整することにより、適正量の厨芥スラリーを効率的に移送することができ、汎用性、省エネルギー性に優れる厨芥スラリー移送装置の提供を行うことができ、ディスポーザを用いた厨芥処理システムの普及を図ることができる。
【符号の説明】
【００１９】
１  厨芥スラリー移送装置
２  タンク
２ａ  底面
３  水中ポンプ
３ａ，６ａ  吐出口
４  水位連動スイッチ
４ａ  フロート
５  移送管
６  分岐管
７  流量調整部
１０  厨芥処理システム
１１  制御部
２０  下膳シンク
２１  シンク部
２１ａ  給水部
２１ｂ  厨芥投入口
３０  ディスポーザ
３１  厨芥スラリー排出管
４０  固液分離装置（脱水機）
【図１】
0003209903.tif 000003
【図２】
0003209903.tif 000004